【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
ダイヤモンド粒子層を超硬ベース上に一体焼結したダイヤモンド焼結体の複数個の柱状片をロールベースの外縁部に円周方向に所定間隔で前記ダイヤモンド粒子層がロールベースの回転方向の後方を向き且つ該柱状片の端面がツルーイング面に露出するように固定したことを特徴とするツルーイングロール。
【請求項２】
請求項１において、前記ダイヤモンド焼結体の柱状片は、前記ロールベースの外縁部にツルーイング面から所定深さに円周方向に所定間隔で穿設された複数の保持穴の各々に、１個又は複数個挿入され各保持穴に充填された結合材によって固定されていることを特徴とするツルーイングロール。
【請求項３】
請求項２において、前記各保持穴に挿入されるダイヤモンド焼結体の柱状片の個数を１〜４個とし、前記保持穴の間隔を前記柱状片の断面寸法の１．５〜２０倍としたことを特徴とするツルーイングロール。
【請求項４】
請求項１において、前記ダイヤモンド焼結体の柱状片は、前記ロールベースの外周部に円周方向に所定間隔で放射状に配置され、該複数の柱状片がメタルボンドで前記ロールベースに固定されていることを特徴とするツルーイングロール。
【請求項５】
請求項１乃至３のいずれか１項に係るツルーイングロールを製造する方法にして、前記ロールベースの外縁部に複数の保持穴をツルーイング面から所定深さに円周方向に所定間隔で穿設し、前記ダイヤモンド焼結体の柱状片を前記各保持穴に１個又は複数個挿入し、各保持穴に結合材を充填し該柱状片を各保持穴内に埋設して固定することを特徴とするツルーイングロールの製造方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項１に係る発明の構成上の特徴は、ツルーイングロールにおいて、ダイヤモンド粒子層を超硬ベース上に一体焼結したダイヤモンド焼結体の複数個の柱状片をロールベースの外縁部に円周方向に所定間隔で前記ダイヤモンド粒子層がロールベースの回転方向の後方を向き且つ該柱状片の端面がツルーイング面に露出するように固定したことである。
【手続補正４】
【補正対象書類名】明細書
【補正対象項目名】０００８
【補正方法】変更
【補正の内容】
【０００８】
請求項２に係る発明の構成上の特徴は、請求項１に記載のツルーイングロールにおいて、前記ダイヤモンド焼結体の柱状片は、前記ロールベースの外縁部にツルーイング面から所定深さに円周方向に所定間隔で穿設された複数の保持穴の各々に、１個又は複数個挿入され各保持穴に充填された結合材によって固定されていることである。
【手続補正５】
【補正対象書類名】明細書
【補正対象項目名】０００９
【補正方法】変更
【補正の内容】
【０００９】
請求項３に係る発明の構成上の特徴は、請求項２に記載のツルーイングロールにおいて、前記各保持穴に挿入されるダイヤモンド焼結体の柱状片の個数を１〜４個とし、前記保持穴の間隔を前記柱状片の断面寸法の１．５〜２０倍としたことである。
【手続補正６】
【補正対象書類名】明細書
【補正対象項目名】００１０
【補正方法】変更
【補正の内容】
【００１０】
請求項４に係る発明の構成上の特徴は、請求項１に記載のツルーイングロールにおいて、前記ダイヤモンド焼結体の柱状片は、前記ロールベースの外周部に円周方向に所定間隔で放射状に配置され、該複数の柱状片がメタルボンドで前記ロールベースに固定されていることである。
【手続補正７】
【補正対象書類名】明細書
【補正対象項目名】００１１
【補正方法】変更
【補正の内容】
【００１１】
請求項５に係る発明の構成上の特徴は、請求項１乃至３のいずれか１項に係るツルーイングロールを製造する方法にして、前記ロールベースの外縁部に複数の保持穴をツルーイング面から所定深さに円周方向に所定間隔で穿設し、前記ダイヤモンド焼結体の柱状片を前記各保持穴に１個又は複数個挿入し、各保持穴に結合材を充填し該柱状片を各保持穴内に埋設して固定することである。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
上記のように構成した請求項１に係る発明においては、ダイヤモンド粒子層を超硬ベース上に一体焼結したダイヤモンド焼結体の複数個の柱状片が、ダイヤモンド粒子層がロールベースの回転方向の後方を向き且つ柱状片の端面がツルーイング面に露出するように配置されているので、ダイヤモンド粒子層が超硬ベースでバックアップされてロールベースに堅固に固定され、高負荷なツルーイングを高精度に行うことができる。また、ダイヤモンド粒子層を支持する超硬ベースのツルーイング時の磨耗が少ないので、ツルーイングロールの寿命が長くなる。さらに、ダイヤモンド焼結体では、単結晶ダイヤモンドより長い柱状片を制作することができるので、ツルーイングロールの使用可能範囲を増大して寿命を長くすることができる。
【手続補正１０】
【補正対象書類名】明細書
【補正対象項目名】００１４
【補正方法】変更
【補正の内容】
【００１４】
上記のように構成した請求項２に係る発明においては、ダイヤモンド焼結体の柱状片が、ロールベースの外縁部にツルーイング面から所定深さに円周方向に所定間隔で穿設された複数の保持穴の各々に、１個又は複数個挿入され、各保持穴に充填された結合材で固定されている。これにより、ダイヤモンド焼結体の柱状片を各保持穴に挿入して少量の結合材で埋設して固定し、複数の柱状片をロールベースの外縁部に円周方向に所定間隔で配置した低コストのツルーイングロールを提供することができる。
【手続補正１１】
【補正対象書類名】明細書
【補正対象項目名】００１５
【補正方法】変更
【補正の内容】
【００１５】
上記のように構成した請求項３に係る発明においては、各保持穴に挿入して固定されるダイヤモンド焼結体の柱状片の個数を１〜４個とすることにより、ツルーイングロールのツルーイング性能を満足し、且つ柱状片の総数を必要最小限に抑えてコストを低減することができる。保持穴の間隔が広すぎると、ツルーイング性能が低下するが、保持穴の間隔を柱状片の断面寸法の１．５〜２０倍とすることにより良好なツルーイング性能を得ることができる。
【手続補正１２】
【補正対象書類名】明細書
【補正対象項目名】００１６
【補正方法】変更
【補正の内容】
【００１６】
上記のように構成した請求項４に係る発明においては、ダイヤモンド粒子層を超硬ベース上に一体焼結したダイヤモンド焼結体の複数個の柱状片が、ダイヤモンド粒子層がロールベースの回転方向の後方を向き且つ柱状片の端面がロールベース外周面に露出するようにロールベースの外周部に所定間隔で放射状に並置されてメタルボンドで固定されているので、ダイヤモンド粒子層が超硬ベースでバックアップされてメタルボンドでロールベースに堅固に固定され、高負荷なツルーイングを高精度に行うことができる。また、ダイヤモンド粒子層を支持する超硬ベースのツルーイング時の磨耗が少ないので、ツルーイングロールの寿命が長くなる。
【手続補正１３】
【補正対象書類名】明細書
【補正対象項目名】００１７
【補正方法】変更
【補正の内容】
【００１７】
上記のように構成した請求項５に係る発明においては、ロールベースの外縁部に複数の保持穴をツルーイング面から所定深さに円周方向に所定間隔で穿設し、ダイヤモンド焼結体の柱状片を各保持穴に１個又は複数個挿入し、各保持穴に結合材を充填し該柱状片を各保持穴内に埋設して固定してツルーイングロールを製造する。これにより、柱状片をニッケル電気メッキ又はバックアップリング等で支持して固定する必要がないので、部品点数が少なくなり、製作工数、時間を減少して製造コストを低減することができる。